【手続補正書】
【提出日】平成22年10月1日(2010.10.1)
【手続補正１】
【補正対象書類名】明細書
【補正対象項目名】００９０
【補正方法】変更
【補正の内容】
【００９０】
本発明の一般原則及びに先立つ「発明を実施するための形態」の上記開示から、当業者は本発明に対して各種変更、再構成、及び修正を行うことができることが容易に理解されるであろう。したがって、本発明の範囲は以下の請求項及びそれらと均等であるものによってのみ制限されるべきである。
以下に、本願発明に関連する発明の実施形態を列挙する。
実施形態１
多層保護フィルムの製造方法であって、該方法が、
（ａ）少なくとも部分的に架橋されたポリウレタンを含むＰＵ層を形成する（少なくとも部分的に架橋された該ポリウレタンが、少なくとも１種のポリエステル系ポリウレタン又はポリカーボネート系ポリウレタンである）工程；
（ｂ）ポリカプロラクトン系熱可塑性ポリウレタンを含むＴＰＵ層を形成する工程；
（ｃ）感圧性接着剤を含むＰＳＡ層を形成する工程；
（ｄ）ＰＵ層の１つの主表面を、ＴＰＵ層の１つの主表面に結合させる工程；及び
（ｅ）ＰＳＡ層をＴＰＵ層の反対側主表面に結合させる工程；
（この際、ＴＰＵ層は、ＰＵ層とＰＳＡ層との間に挟まれており、
工程（ａ）又は工程（ｂ）の少なくとも１つが、
（ｉ）少なくとも１種のポリイソシアネート及び少なくとも１種のポリオールを含むポリウレタン前駆体物質の回転バンクを形成する（ここで、該回転バンクが、第一及び第二基材と接触している）工程；
前記第一と第二基材との間にポリウレタン前駆体物質を配置した、第一と第二基材とをニップを通して通過させる工程；
前記第一基材及び第二基材と接触したＰＵ層又はＴＰＵ層を形成するような条件下にて、前記ポリウレタン前駆体物質を加熱する工程；及び
所望により、少なくとも１つの第一又は第二基材を、ＰＵ層又はＴＰＵ層から取り外して、該ＰＵ層又は該ＴＰＵ層の外表面をそれぞれ露出させる工程を含み；あるいは
工程（ｂ）が、
（ｉｉ）ジイソシアネート及びジオールを含む構成成分を、押出成形機へ導入して、溶融熱可塑性ポリウレタンを提供する工程；
前記溶融熱可塑性ポリウレタンをダイを通して、第三の基材上へと押し出す工程；
少なくとも１つの第三基材及び押出加工された溶融熱可塑性ポリウレタンを、ニップを通して通過させて、該第三基材上へ熱可塑性ポリウレタンの層を提供する工程；
前記熱可塑性ポリウレタンを固化させる工程を含み；あるいは
工程（ａ）が工程（ｉ）を含み、工程（ｂ）が工程（ｉｉ）を含む。）
の各工程からなる、前記製造方法。
実施形態２
前記工程（ａ）〜（ｅ）が逐次的に実施される、実施形態１に記載の方法。
実施形態３
前記工程（ａ）〜（ｅ）が連続して実施される、実施形態１又は２に記載の方法。
実施形態４
前記工程（ａ）が水性ポリウレタン分散体を剥離可能な支持材料上にコーティングする工程を更に含む、実施形態１〜３のいずれか一項に記載の方法。
実施形態５
前記工程（ａ）が溶剤系ポリウレタン溶液を剥離可能な支持材料上にコーティングすることを更に含む、実施形態１〜３のいずれか一項に記載の方法。
実施形態６
前記工程（ｂ）が、ポリカプロラクトンベースの熱可塑性ポリウレタンを高温にてダイを通して押し出して、ＴＰＵ層を形成する工程を含む、実施形態１〜５のいずれか一項に記載の方法。
実施形態７
前記工程（ａ）又は工程（ｂ）の少なくとも１つが、工程（ｉ）を含む、実施形態１〜６のいずれか一項に記載の方法。
実施形態８
前記工程（ｂ）が、工程（ｉｉ）を含む、実施形態１〜６のいずれか一項に記載の方法。
実施形態９
前記工程（ｄ）が、ＰＵ層の１つの主表面を、ＴＰＵ層の１つの主表面が室温より十分に高い高温にある間に、ＴＰＵ層の１つの主表面へ積層して、ＰＵ層とＴＰＵ層との間の十分な結合を促進する工程を含む、実施形態６に記載の方法。
実施形態１０
前記工程（ｄ）が、前記押出成形後であって、かつ少なくともＰＵ層の１つの主表面及びＴＰＵ層の１つの主表面が、ＰＵ層とＴＰＵ層との間の適切な結合を促進するには低すぎる温度にて、ＰＵ層の１つの主表面を、ＴＰＵ層の１つの主表面へと積層させること；及び
ＴＰＵ層の１つの主表面を、室温より十分に高い高温まで加熱し、前記積層中に、ＰＵ層とＴＰＵ層との間の適切な結合を促進する工程
（この際、前記加熱は前記積層の前又はその間に施す。）を含む、実施形態６に記載の方法。
実施形態１１
前記ＴＰＵ層の反対側主表面をコロナ処理することを更に含む、実施形態１〜１０のいずれか一項に記載の方法。
実施形態１２
前記押出加工後に、前記ＴＰＵ層の反対側主表面を、剥離可能な支持材料ウェブに剥離可能に積層する工程を更に含む、実施形態１１に記載の方法。
実施形態１３
前記ＴＰＵ層の反対側主表面を、前記の剥離可能に積層する工程の後に露出させる工程；及び
前記露出工程後であって、かつ前記ＰＳＡ層のボンディング前に、前記ＴＰＵ層の反対側主表面をコロナ処理することを更に含む、実施形態１２に記載の方法。
実施形態１４
前記の少なくとも部分的に架橋されたポリウレタンが、ポリオールと少なくともジイソシアネートとの反応生成物であり、かつ該ポリオールがポリエステルポリオール、ポリカーボネートポリオール又は両者の組み合わせである、実施形態１〜１３のいずれか一項に記載の方法。
実施形態１５
前記ポリオールが脂肪族ポリオールである、実施形態１４に記載の方法。
実施形態１６
前記少なくとも１つのポリイソシアネートが、ジイソシアネート及びトリイソシアネートを含む、実施形態１〜１４のいずれか一項に記載の方法。
実施形態１７
前記トリイソシアネートが脂肪族トリイソシアネートである、実施形態１６に記載の方法。
実施形態１８
前記ジイソシアネートが脂肪族ジイソシアネートである、実施形態１４〜１７のいずれか一項に記載の方法。
実施形態１９
前記ジイソシアネートがイソホロンジイソシアネートを含む、実施形態１４〜１８のいずれか一項に記載の方法。
実施形態２０
前記ジイソシアネートがビス（４−イソシアナトシクロヘキシル）メタンを含む、実施形態１４〜１８のいずれか一項に記載の方法。
実施形態２１
前記の少なくとも部分的に架橋されたポリウレタンが前記ポリカーボネート系ポリウレタンである、実施形態１〜２０のいずれか一項に記載の方法。
実施形態２２
前記の少なくとも部分的に架橋されたポリウレタンが前記ポリエステル系ポリウレタンである、実施形態１〜２０のいずれか一項に記載の方法。
実施形態２３
前記の少なくとも部分的に架橋されたポリウレタンが、前記ポリエステル系ポリウレタンと前記ポリカーボネート系ポリウレタンとの組み合わせである、実施形態１〜２０のいずれか一項に記載の方法。
実施形態２４
前記ポリウレタンが脂肪族ポリウレタンである、実施形態１〜２３のいずれか一項に記載の方法。
実施形態２５
前記の少なくとも部分的に架橋されたポリウレタンがわずかに架橋したポリウレタンである、実施形態１〜２４のいずれか一項に記載の方法。
実施形態２６
前記の少なくとも部分的に架橋されたポリウレタンが水系ポリウレタンである、実施形態１〜２５のいずれか一項に記載の方法。
実施形態２７
前記の少なくとも部分的に架橋されたポリウレタンが溶剤系ポリウレタンである、実施形態１〜２５のいずれか一項に記載の方法。
実施形態２８
前記ＰＵ層が、剥離可能な支持材料ウェブの滑らかな主表面上にキャストされ、乾燥されかつ前記支持材料ウェブが取り除かれた外観を持つ露出した主表面を有する、実施形態１〜２７のいずれか一項に記載の方法。
実施形態２９
前記ＴＰＵ層の反対側主表面がコロナ処理されている、実施形態１〜２８のいずれか一項に記載の方法。
実施形態３０
前記感圧性接着剤が室温で粘着性である、実施形態１〜２９のいずれか一項に記載の方法。
実施形態３１
前記多層保護フィルムが透明である、実施形態１〜３０のいずれか一項に記載の方法。
実施形態３２
前記多層保護フィルムが有色である、実施形態１〜３１のいずれか一項に記載の方法。
【手続補正２】
【補正対象書類名】特許請求の範囲
【補正対象項目名】全文
【補正方法】変更
【補正の内容】
【特許請求の範囲】
【請求項１】
多層保護フィルムの製造方法であって、該方法が、
（ａ）少なくとも部分的に架橋されたポリウレタンを含むＰＵ層を形成する（少なくとも部分的に架橋された該ポリウレタンが、少なくとも１種のポリエステル系ポリウレタン又はポリカーボネート系ポリウレタンである）工程；
（ｂ）ポリカプロラクトン系熱可塑性ポリウレタンを含むＴＰＵ層を形成する工程；
（ｃ）感圧性接着剤を含むＰＳＡ層を形成する工程；
（ｄ）ＰＵ層の１つの主表面を、ＴＰＵ層の１つの主表面に結合させる工程；及び
（ｅ）ＰＳＡ層をＴＰＵ層の反対側主表面に結合させる工程；
（この際、ＴＰＵ層は、ＰＵ層とＰＳＡ層との間に挟まれており、
工程（ａ）又は工程（ｂ）の少なくとも１つが、
（ｉ）少なくとも１種のポリイソシアネート及び少なくとも１種のポリオールを含むポリウレタン前駆体物質の回転バンクを形成する（ここで、該回転バンクが、第一及び第二基材と接触している）工程；
前記第一と第二基材との間にポリウレタン前駆体物質を配置した、第一と第二基材とをニップを通して通過させる工程；
前記第一基材及び第二基材と接触したＰＵ層又はＴＰＵ層を形成するような条件下にて、前記ポリウレタン前駆体物質を加熱する工程；及び
所望により、少なくとも１つの第一又は第二基材を、ＰＵ層又はＴＰＵ層から取り外して、該ＰＵ層又は該ＴＰＵ層の外表面をそれぞれ露出させる工程を含み；あるいは
工程（ｂ）が、
（ｉｉ）ジイソシアネート及びジオールを含む構成成分を、押出成形機へ導入して、溶融熱可塑性ポリウレタンを提供する工程；
前記溶融熱可塑性ポリウレタンをダイを通して、第三の基材上へと押し出す工程；
少なくとも１つの第三基材及び押出加工された溶融熱可塑性ポリウレタンを、ニップを通して通過させて、該第三基材上へ熱可塑性ポリウレタンの層を提供する工程；
前記熱可塑性ポリウレタンを固化させる工程を含み；あるいは
工程（ａ）が工程（ｉ）を含み、工程（ｂ）が工程（ｉｉ）を含む。）
の各工程からなる、前記製造方法。